(57)【要約】      （修正有）【課題】外装容器にカートリッジを容易に着脱することができ、使用時において外装容器からカートリッジが外れ難く、外装容器の再使用が可能な大型クラッカーを提供する。【解決手段】外装容器４の内周面に係止凸部４６を形成し、カートリッジ２を、略円筒形状の本体部２０と、本体部２０の外周側から軸方向に向けて突設するフック部２４とから構成した。そして、カートリッジ２を外装容器４の内部に装着する際に、フック部２４を先にして、発射口４４よりカートリッジ２を挿入し、カートリッジ２を回転させることで、外装容器４の係止凸部４６と、カートリッジ２のフック部２４とが係合し、カートリッジ２が外装容器４の内部に係止されるように構成した。【選択図】図１
2010266082.tif 000002
【特許請求の範囲】
【請求項１】
前端に発射口が、後端に紐導出口が形成された外装容器と、
複数の小型クラッカーが収容されたカートリッジと、を備え、
前記外装容器の内部に前記カートリッジが着脱自在に装着されて使用される大型クラッカーであって、
前記外装容器の内周面には、係止凸部が形成され、
前記カートリッジは、略円筒形状の本体部と、該本体部の外周側から軸方向に向けて突設するフック部とから構成されており、
前記カートリッジを前記外装容器の内部に装着する際に、
前記フック部を先にして、前記発射口より前記カートリッジを挿入し、前記カートリッジを回転させることで、
前記外装容器の係止凸部と、前記カートリッジのフック部とが係合し、前記カートリッジを係止するように構成されていることを特徴とする大型クラッカー。
【請求項２】
前記フック部は、前記カートリッジ本体部の外周側から軸方向に向けて突設するフック基端部と、
該フック基端部の先端側より外周方向に向けて突設するフック係合部とから構成されていることを特徴とする請求項１に記載の大型クラッカー。
【請求項３】
前記フック部が複数形成され、
前記複数のフック部の先端が、底板によって相互に連結されていることを特徴とする請求項２に記載の大型クラッカー。
【請求項４】
前記カートリッジが紙で形成されていることを特徴とする請求項１から３のいずれかに記載の大型クラッカー。
【請求項５】
前記外装容器がボトル形状をなし、その口部が発射口を構成することを特徴とする請求項１から４のいずれかに記載の大型クラッカー。
【発明の詳細な説明】
【技術分野】
【０００１】
本発明は、引紐を引っ張ることで、爆発音とともに、発射口からテープ、紙吹雪等の放出物が発射される大型クラッカーに関する。
さらに詳しくは、本発明は、複数個の小型クラッカーが収容されたカートリッジが、外装容器の内部に着脱自在に装着されて使用される、大型クラッカーに関する。
【背景技術】
【０００２】
クリスマスパーティーや結婚式等の祝宴で使用されるクラッカーとして、近年、全長が１ｍ以上にもなる大型クラッカーが開発されて、好評を博している。この種の大型クラッカーは、引紐を引っ張ることで火薬が爆発し、この爆発によってテープや紙吹雪等の放出物が空中に発射される小型クラッカーが、外装容器の内部に複数格納されて構成されている。
【０００３】
このような複数の小型クラッカーを備えた大型クラッカーとして、図１１および図１２に示したような大型クラッカーが、本出願人により開示されている。
図１１は、特許文献１の大型クラッカー１００を示した断面図である。
【０００４】
この大型クラッカー１００は、図１１に示したように、前端に狭く窄んだ発射口１４４と、後端に紐導出口１４２が形成された外筒１０４の内部に、複数の小型クラッカー１５０、１５０、…が、前端側同士を近づけ合い、後端側同士を遠ざけるよう並列状に配列されている。そして、紐導出口１４２から導出する引紐１３０を引っ張ることで、複数の小型クラッカー１５０、１５０、…が一斉に爆発し、互いにクロスする軌跡を描いて、発射口１４４から一斉にテープや紙吹雪等の放出物が発射されるように構成されている。
【０００５】
また、図１２は、特許文献２の大型クラッカー２００において、外筒の内部にカートリッジを格納する前の状態を示した斜視図である。
この大型クラッカー２００は、図１２に示したように、前端に発射口２４４、後端に紐導出口２４２が形成された円錐状の外筒２０４と、複数の小型クラッカー２５０、２５０、…が収容され、逆截頭円錐状、すなわち円錐の先端側を切断した形状に形成されたカートリッジ２０２とから構成されている。そして、図１２中に矢印で示したように、このカートリッジ２０２を外筒２０４の発射口２４４から挿入して、カートリッジ２０２を外筒２０４の内部に、楔状に嵌合させることで、カートリッジ２０２が外筒２０４に格納されるように構成されている。
【０００６】
このように組み立てられた大型クラッカー２００は、紐導出口２４２から導出する不図示の引紐を引っ張ることで、複数の小型クラッカー２５０、２５０、…が一斉に爆発して、発射口２４４から一斉にテープや紙吹雪等の放出物が発射される。また、使用後は、カートリッジ２０２を取り出し、外筒２０４の中に新規なカートリッジ２０２を格納し直すことで、外筒２０４を再使用することができるように構成されている。
【先行技術文献】
【特許文献】
【０００７】
【特許文献１】特許第３５１６６６９号公報
【特許文献２】特許第３９７１８２２号公報
【特許文献３】特開２００８−２９２０４５号公報
【発明の概要】
【発明が解決しようとする課題】
【０００８】
ところで、特許文献１の大型クラッカー１００は、外筒１０４と複数の小型クラッカー１５０、１５０、…とが、分離不能または分離困難に一体的に組み立てられているため、使用後には大型クラッカー１００ごとその全体を廃棄する必要があり、外筒１０４を再使用することは出来なかった。
【０００９】
また、特許文献２の大型クラッカー２００は、外筒２０４を再使用することができるように構成されているものの、カートリッジ２０２と外筒２０４とを単に楔状に嵌合させることで、カートリッジ２０２を外筒２０４の内部に格納するため、発射口２４４を下向にした場合に、カートリッジ２０２が外筒２０４から外れてしまうとの問題が生じていた。
【００１０】
また、外筒１０４の形状は円錐状に限られ、発射口２４４は必然的に円錐の拡径側となることから、外装容器の形状にバリエーションを持たせることが出来ず、趣に欠けるところがあった。
【００１１】
なお、クラッカーの外装容器の形状に関して、図１３に示したように、外装容器３０４をボトル形状とし、その口部が発射口３４４を構成するボトル型クラッカー３００が、本出願人により開示されている（特許文献３）。しかし、この特許文献３のボトル型クラッカー３００は、１本の小型クラッカー３５０が載置された支持台３０２を紐導出口３４２から挿入して、小型クラッカー３０５を外装容器３０４の内部に装着するクラッカーであって、複数の小型クラッカーを収容する大型クラッカーではない。また、このボトル型クラッカー３００を大型化する場合は、外装容器３０４とともに、支持台３０２も大きくする必要があるため、支持台３０２の組み立ておよび取り外しが困難となる。
【００１２】
本発明は、このような従来の問題点に鑑みなされたものであって、外装容器にカートリッジを容易に着脱することができ、使用時において外装容器からカートリッジが外れ難く、外装容器の再使用が可能な大型クラッカーを提供することを目的とする。
【００１３】
また、本発明は、例えば、ボトル形状をなした外装容器など、外装容器にバリエーションを持たせることが可能な、意外性に富んだ大型クラッカーを提供することを目的とする。
【課題を解決するための手段】
【００１４】
本発明は、上述したような従来技術における課題および目的を達成するために発明されたものであって、本発明の大型クラッカーは、
前端に発射口が、後端に紐導出口が形成された外装容器と、
複数の小型クラッカーが収容されたカートリッジと、を備え、
前記外装容器の内部に前記カートリッジが着脱自在に装着されて使用される大型クラッカーであって、
前記外装容器の内周面には、係止凸部が形成され、
前記カートリッジは、円筒形状の本体部と、該本体部の外周側から軸方向に向けて突設するフック部とから構成されており、
前記カートリッジを前記外装容器の内部に装着する際に、
前記フック部を先にして、前記発射口より前記カートリッジを挿入し、前記カートリッジを回転させることで、
前記外装容器の係止凸部と、前記カートリッジのフック部とが係合し、前記カートリッジを係止するように構成されていることを特徴とする。
【００１５】
このように構成することによって、複数の小型クラッカーが収容されたカートリッジを、外装容器の内部に着脱自在に装着することが容易となり、使用後にカートリッジを取り出し、新規なカートリッジを装着し直すことで、外装容器を再使用することができる。
【００１６】
また、外装容器の係止凸部と、カートリッジのフック部とが係合して、カートリッジが外装容器の内部に係止されるため、使用時において外装容器からカートリッジが外れ難く、例えば、発射口を下向にしたとしても、カートリッジが外装容器から外れてしまうことはない。
【００１７】
上記発明において、前記フック部は、前記カートリッジ本体部の外周側から軸方向に向けて突設するフック基端部と、
該フック基端部の先端側より外周方向に向けて突設するフック係合部とから構成されていることが望ましい。
【００１８】
このように構成することによって、外装容器の内部にカートリッジを着脱自在に装着するためのフック部を、単純な構造で形成することができるため、カートリッジの装着および取り外しがより容易な大型クラッカーを提供することができる。
【００１９】
また、上記発明において、
前記フック部が複数形成され、
前記複数のフック部の先端が、底板によって相互に連結されていることが望ましい。
【００２０】
このように構成することによって、複数のフック部が形成されているため、外装容器の内部にカートリッジを安定して係止することができる。また、複数のフック部が底板を介して一体に連結されているため、１つのフック部だけに力が集中して作用するようなことがなく、フック部の補強にもなる。
【００２１】
また、上記発明において、前記カートリッジが紙で形成されていることが望ましい。
このように構成することによって、１回の使用毎に廃棄されるカートリッジが紙で形成されていることから、カートリッジの製造コストを抑えることができ、経済的な大型クラッカーを提供することができる。
【００２２】
また、上記発明において、前記外装容器がボトル形状をなし、その口部が発射口を構成することが望ましい。
このように構成することによって、外装容器がボトル形状をなした、意外性に富んだ大型クラッカーを提供することができる。すなわち、例えば、クリスマスパーティーや結婚式等の祝宴において使用すれば、発泡性ワインを開栓するかの如く、外装容器内部の複数の小型クラッカーを一斉に爆発させて、発射口からテープや紙吹雪等の放出物を発射させることができるため、充分な華やかさと意外性のある演出を提供することができる。
【発明の効果】
【００２３】
本発明によれば、外装容器にカートリッジを容易に着脱することができ、使用時において外装容器からカートリッジが外れ難く、外装容器の再使用が可能な大型クラッカーを提供することができる。
【００２４】
また、本発明によれば、例えば、ボトル形状をなした外装容器など、外装容器にバリエーションを持たせることができる、意外性に富んだ大型クラッカーを提供することができる。
【図面の簡単な説明】
【００２５】
【図１】図１は、本発明の大型クラッカーであって、カートリッジが外装容器の内部に装着される前の状態を示した斜視図である。
【図２】図２は、カートリッジが外装容器の内部に装着された後の状態を示した断面図である。
【図３】図３は、本発明のカートリッジを示した斜視図である。
【図４】図４は、図３のＡ−Ａ線方向から見たカートリッジの側面図である。
【図５】図５は、カートリッジの後端側を上方から見た平面図である。
【図６】図６は、カートリッジの断面平面図である。
【図７】図７は、本発明の外装容器を示した断面図である。
【図８】図８は、カートリッジが発射口より外装容器の内部に挿入された状態を示した図である。
【図９】図９は、カートリッジが外装容器の内部に装着された状態を示した図である。
【図１０】図１０は、本発明の別の実施形態の外装容器を示した断面図である。
【図１１】図１１は、特許文献１の大型クラッカー１００を示した断面図である。
【図１２】図１２は、特許文献２の大型クラッカー２００において、外筒の内部にカートリッジを格納する前の状態を示した斜視図である。
【図１３】図１３は、特許文献３のクラッカー３００を示した断面図である。
【発明を実施するための形態】
【００２６】
以下、本発明の実施の形態を図面に基づいてより詳細に説明する。
図１は、本発明の大型クラッカーであって、カートリッジが外装容器の内部に装着される前の状態を示した斜視図、図２は、カートリッジが外装容器の内部に装着された後の状態を示した断面図、図３は、本発明のカートリッジを示した斜視図、図４は、図３のＡ−Ａ線方向から見たカートリッジの側面図、図５は、カートリッジの後端側を上方から見た平面図、図６は、カートリッジの断面平面図である。なお、本明細書において、カートリッジ２の後端側とは、フック部２４が形成されている側を指し、前端側とは、その反対側を指す。
【００２７】
本発明の大型クラッカー１は、図１に示したとおり、カートリッジ２と外装容器４とから構成され、複数の小型クラッカーを収容したカートリッジ２が、外装容器４の発射口４４から挿入されて、外装容器４の内部に装着されることで、図２に示すとおりに組み立てられる。なお、カートリッジ２は、後述するように、カートリッジ２のフック部２４と、外装容器４の係止凸部４６とが係合することで、外装容器４の内部に係止される。そして、複数の小型クラッカーの引紐と結び付けられた引紐３０を引っ張ることで、カートリッジ２に収容された複数の小型クラッカーが一斉に爆発して、発射口４４から一斉にテープや紙吹雪等の放出物が発射される。
【００２８】
このカートリッジ２は、図３に示したように、略円筒形状をなして、その内部に複数の小型クラッカーが収容される本体部２０と、本体部２０の外周側から軸方向に向けて突設する２つのフック部２４、２４と、この２つのフック部２４、２４の先端を相互に連結するように形成された底板２６とから構成されている。また、カートリッジ２の前端側には、開口２２が形成されている。なお、図３では、フック部２４の形状を示すため、図１に示したカートリッジ２とは逆方向に、すなわち、後端側を上側にして示している。
【００２９】
フック部２４は、図４に示したように、カートリッジ本体部２０の前端面２０ａから軸方向に向けて突設するフック基端部２４ａと、このフック基端部２４ａの先端側から外周方向、すなわち図４の右方向に向けて突設するフック係合部２４ｂとから構成されている。なお、２つのフック部２４、２４において、フック係合部２４ｂはともに正面視で右方向に突設しており、図３のＡ−Ａ線の反対側からカートリッジ２を視認しても、図４に示したとおりに視認される。
【００３０】
また、このカートリッジ２の後端側、すなわちフック部２４を上方から見れば、図５に示したように、２つのフック部２４、２４の先端を連結する底板２６と、切り欠き部２５、２５とが視認される。また、底板２６の中央部には、引紐３０を導出するための紐導出孔２７が形成されている。
【００３１】
また、このカートリッジ２のカートリッジ本体部には、図６に示したように、複数の小型クラッカー５０、５０、…が、接着剤や粘着テープなどによってカートリッジ２に貼着された状態で収容される。これら複数の小型クラッカー５０、５０、…は、不図示の引紐を備えており、これら引紐の各々が１本の引紐３０と結び付けられている。したがって、使用時において、この引紐３０を引っ張ることで、カートリッジ２に収容された複数の小型クラッカー５０、５０、…が一斉に爆発するように構成されている。さらに、この複数の小型クラッカー５０、５０、…の引紐を各々異なる長さとすれば、引紐３０を引っ張った際に、カートリッジ２に収容された複数の小型クラッカー５０、５０、…が時間差をおいて爆発するように構成することも可能である。
【００３２】
カートリッジ２の材料としては、紙や合成樹脂など、種々の材料を使用することが可能であり、特に限定されるものではない。しかし、カートリッジ２は、１回の使用毎に廃棄されることから、経済的な観点より、厚紙や金属箔をラミネートした合成紙などの紙で形成されていることが好ましい。
【００３３】
なお、本発明のフック部２４の形状は、実施例で示した形状には限定されず、外装容器４の係止凸部４６と係合して、カートリッジ２が外装容器４の内部に係止されるように構成されていればよい。しかし、本実施例のように、フック部２４をカートリッジ本体部２０の外周側から軸方向に向けて突設するフック基端部２４ａと、このフック基端部２４ａの先端側より外周方向に向けて突設するフック係合部２４ｂとから構成することで、フック部２４を単純な構造とすることができ、後述するように、カートリッジ２の装着および取り外しを容易に行うことができる。
【００３４】
また、本発明のフック部２４の数も、特に限定されないが、複数のフック部２４が形成されている方が、外装容器４の内部にカートリッジ２を安定して係止することができるため、好ましい。
【００３５】
また、本実施例では、２つのフック部２４、２４の先端が、底板２６によって相互に連結されているが、本発明の大型クラッカー１はこれに限定されず、カートリッジ２に底板２６が形成されていなくともよい。ただし、２つのフック部２４、２４の先端が底板２６によって相互に連結されている方が、１つのフック部２４だけに力が集中して作用するようなことがなく、フック部２４の補強にもなるため、好ましい。
【００３６】
図７は、本発明の外装容器を示した断面図である。なお、本明細書において、外装容器４の前端側とは、発射口４４が形成されている側を、後端側とは紐導出口４２が形成されている側を指す。
【００３７】
この外装容器４は、前端にカートリッジ２が挿入される発射口４４が形成されており、後端には、カートリッジ２を外装容器４の内部に装着した際に、引紐３０が導出される紐導出口４２が形成されている。
【００３８】
この発射口４４の口径は、カートリッジ２を挿入することができるように、カートリッジ２の外形よりも僅かに大きく形成されている。また、この外装容器４の口部４０ａは、発射口４４と略同一径に形成され、且つ、この口部４０ａの後端側の内周面に係止凸部４６が形成されることで、後述するように、この口部４０ａにカートリッジ２を係止することができるように構成されている。
【００３９】
また、紐導出口４２の口径は、カートリッジ２を外装容器４の内部に装着する際に、        引紐３０を導出させるのに十分な口径であればよい。
次に、カートリッジ２を外装容器４の内部に装着する方法について、図１、図８、図９に基づいて詳細に説明する。ここで、図１は、カートリッジが外装容器の内部に装着される前の状態を示した斜視図である。図８は、カートリッジが発射口より外装容器の内部に挿入された状態を示した図で、図８（Ａ）がカートリッジ２の後端側から見た場合の断面平面図、図８（Ｂ）が断面図である。図９は、カートリッジが外装容器の内部に装着された状態を示した図で、図９（Ａ）がカートリッジ２の後端側から見た場合の断面平面図、図９（Ｂ）が断面図である。
【００４０】
カートリッジ２を外装容器４の内部に装着する際は、図１の矢印で示したように、カートリッジ２をその後端側から、すなわちフック部２４を先にして、外装容器４の発射口４４より挿入し、図８に示したように、カートリッジ本体部２０の前端面２０ａが、外装容器４の係止凸部４６に当接するまで挿入する。この際、カートリッジ２の底板２６およびフック部２４が、係止凸部４６と当接しないよう、図８（Ａ）に示したように、カートリッジ２の切り欠き部２５が係止凸部４６の上方に位置するような向きにカートリッジ２を配置して、カートリッジ２を挿入する。なお、図１に示したように、カートリッジ２および外装容器４の外周面に目印２９、４９を形成すれば、この目印２９、４９を手掛かりとして、カートリッジ２を容易に配置することができる。
【００４１】
そして、図９（Ａ）に示したように、矢印方向にカートリッジ２を回転させると、図９（Ｂ）に示したように、係止凸部４６が、フック係合部２４ｂおよびカートリッジ本体部２０の前端面２０ａとの間に挟まれて、係止凸部４６とフック部２４とが係合し、これによりカートリッジ２が外装容器４の内部に係止される。
【００４２】
また、外装容器４に装着されたカートリッジ２を取り出す場合は、図９（Ａ）に示した矢印と反対方向にカートリッジ２を回転させ、係止凸部４６とフック部２４との係合を解除することで、カートリッジ２を容易に取り出すことができる。
【００４３】
このように、本発明の大型クラッカー１では、外装容器４の係止凸部４６と、カートリッジ２のフック部２４とが係合して、カートリッジ２が外装容器４の内部に係止されるため、外装容器４からカートリッジ２が外れ難く、例えば、発射口４４を下方に向けたとしても、カートリッジ２が外れることはない。
【００４４】
また、複数の小型クラッカー５０が収容されたカートリッジ２を、外装容器４の内部に着脱自在に装着することができるため、使用後にカートリッジ２を取り出し、新規なカートリッジ２を装着し直すことで、外装容器４を再使用することができる。
【００４５】
なお、本発明の外装容器４の形状としては、カートリッジ２を発射口４４より挿入して、カートリッジ２を外装容器４の内部に装着できる形状であればよく、特に限定されるものではないが、ボトル形状のものを好適に使用することができる。ここで、本明細書におけるボトル形状とは、図７および図１０に示したように、発射口４４と略同一径に形成された口部４０ａと、この口部４０ａよりも拡径した胴部４０ｂを有する形状を指す。この際、胴部４０ｂの形状としては、図７に示したように、前端側から拡径した後に、後端側に向けて略同一径に形成されていてもよく、また、図１０に示したように、前端側から拡径した後に、後端側に向けて縮径するように形成されてもよい。また、胴部４０ｂの断面形状は、円形状には限定されず、矩形状であってもよい。
【００４６】
このように、外装容器４をボトル形状とすることで、意外性に富んだ大型クラッカー１を提供することができる。すなわち、例えば、クリスマスパーティーや結婚式等の祝宴において使用すれば、発泡性ワインを開栓するかの如く、外装容器４の内部の複数の小型クラッカー５０を一斉に爆発させて、発射口４４からテープや紙吹雪等の放出物を発射させることができるため、充分な華やかさと意外性のある演出を提供することができる。
【００４７】
以上、本発明の好ましい実施の態様を説明してきたが、本発明はこれに限定されることはなく、本発明の目的を逸脱しない範囲で種々の変更が可能である。
【符号の説明】
【００４８】
１     大型クラッカー
２     カートリッジ
４     外装容器
２０   本体部
２０ａ 前端面
２２   開口
２４   フック部
２４ａ フック基端部
２４ｂ フック係合部
２５   切り欠き部
２６   底板
２７   紐導出孔
２９   目印
３０   引紐
４０ａ 口部
４０ｂ 胴部
４２   紐導出口
４４   発射口
４６   係止凸部
５０   小型クラッカー
１００ 大型クラッカー
１０４ 外筒
１３０ 引紐
１４２ 紐導出口
１４４ 発射口
１５０ 小型クラッカー
２００ 大型クラッカー
２０２ カートリッジ
２０４ 外筒
２４２ 紐導出口
２４４ 発射口
２５０ 小型クラッカー
【図１】
2010266082.tif 000003
【図２】
2010266082.tif 000004
【図３】
2010266082.tif 000005
【図４】
2010266082.tif 000006
【図５】
2010266082.tif 000007
【図６】
2010266082.tif 000008
【図７】
2010266082.tif 000009
【図８】
2010266082.tif 000010
【図９】
2010266082.tif 000011
【図１０】
2010266082.tif 000012
【図１１】
2010266082.tif 000013
【図１２】
2010266082.tif 000014
【図１３】
2010266082.tif 000015